(57)【要約】【課題】  ローカルな無線通信手段を備えている携帯情報端末と、ローカルな無線通信手段を備えている機能拡張装置とが、ローカルな無線通信手段によって無線接続し、互いに情報を交換するシステムにおいて、ユーザ自身で推測されないような接続認証コードを考え出し、携帯情報端末と機能拡張装置との両機器へ接続認証コードを入力するという煩雑な作業を必要とせず、携帯情報端末と機能拡張装置とを無線接続して利用する場合、その無線接続処理において、ユーザに煩雑な作業を強要しないで済むことを目的とするものである。【解決手段】  機能拡張装置が携帯情報端末に装着されていることを検出し、検出信号を出力する装着検出部と、検出信号をトリガとして新規接続認証コードを生成する接続認証コード設定部と、接続認証コード設定部が生成した新規接続認証コードを記憶する新規接続認証コード記憶部とを有する携帯情報端末である。【選択図】  図１
2005142894.tif 000002
【特許請求の範囲】
【請求項１】
情報処理装置と機能拡張装置とを有するシステムにおいて、
上記機能拡張装置と上記情報処理装置とを有線接続する有線接続手段と、
上記機能拡張装置と上記情報処理装置とを無線接続する無線接続手段と、
上記機能拡張装置と上記情報処理装置とが上記有線接続手段により有線接続されたことを検出する検出手段と、
上記検出手段による検出に応じて、上記無線接続手段による無線接続する際の認証に用いる認証情報を、上記有線接続手段の有線通信により記憶する記憶手段と、
を有することを特徴とするシステム。
【請求項２】
請求項１において、
上記検出手段による検出に応じて、上記認証情報を自動生成する認証情報生成手段を有し、
上記記憶手段は、上記認証情報生成手段により生成した認証情報を上記有線通信により相手装置に送信し、該相手装置のメモリに記憶させることを特徴とするシステム。
【請求項３】
請求項２において、
上記記憶手段は、上記認証情報生成手段により生成した認証情報を。上記機能拡張装置のメモリと、上記情報処理装置のメモリとに記憶することを特徴とするシステム。
【請求項４】
請求項１において、
上記認証情報は、上記検出手段による検出に応じて自動生成した認証コードと、上記機能拡張装置乃至上記情報処理装置の無線通信部の固体識別情報とを含むことを特徴とするシステム。
【請求項５】
上記機能拡張装置と上記情報処理装置とが分離したことを検出する分離検出手段と、
上記分離検出手段による検出に応じて、上記記憶手段により記憶された認証情報を用いて、上記機能拡張装置と上記情報処理装置との無線接続時の認証を開始する認証手段と、
を有することを特徴とするシステム。
【請求項６】
情報処理装置において、
機能拡張装置と有線接続する有線接続手段と、
上記機能拡張装置と無線接続する無線接続手段と、
上記機能拡張装置と上記有線接続手段とにより有線接続されたことを検出する検出手段と、
上記検出手段による検出に応じて、上記無線接続手段による無線接続する際の認証に用いる認証情報を、上記有線接続手段の有線通信により上記機能拡張装置に記憶させる記憶手段と、
を有することを特徴とする情報処理装置。
【請求項７】
機能拡張装置において、
情報処理装置と有線接続する有線接続手段と、
上記情報処理装置と無線接続する無線接続手段と、
上記有線接続手段により上記情報処理装置と有線接続された際に、上記情報処理装置から送られてきた認証情報を記憶する記憶手段と、
上記無線接続手段により上記情報処理装置と無線接続する際に、上記記憶手段により記憶した認証情報を用いて上記情報処理装置との認証処理を行う認証手段と、
を有することを特徴とする機能拡張装置。
【請求項８】
機能拡張装置と有線接続する有線接続手段と、上記機能拡張装置と無線接続する無線接続手段とを有する情報処理装置の制御方法において、
上記機能拡張装置と上記有線接続手段により有線接続されたことを検出する検出工程と、
上記検出工程における検出に応じて、上記無線接続手段による無線接続する際の認証に用いる認証情報を、上記有線接続手段の有線通信により上記機能拡張装置に記憶させる記憶工程と、
を有することを特徴とする情報処理装置の制御方法。
【請求項９】
情報処理装置と有線接続する有線接続手段と、上記情報処理装置と無線接続する無線接続手段とを有する機能拡張装置の制御方法において、
上記有線接続手段により上記情報処理装置と有線接続された際に、上記情報処理装置から送られてきた認証情報を記憶する記憶工程と、
上記無線接続手段により上記情報処理装置と無線接続する際に、上記記憶工程において記憶した認証情報を用いて上記情報処理装置との認証処理を行う認証工程と、
を有することを特徴とする機能拡張装置の制御方法。
【発明の詳細な説明】
【技術分野】
【０００１】
本発明は、有線接続と無線接続とが可能な情報処理装置と機能拡張装置における接続認証の技術に関する。
【背景技術】
【０００２】
従来、スピーカ、マイク、ヘッドフォン、キーボード、マウス、外部記憶装置、レーザバーコードリーダ、カメラアダプタ、ＧＰＳアダプタ、そして各種の無線通信アダプタ等、機能拡張装置を装着し、もともと備えている機能に加えて、新しく機能を取り込むことができるＰＤＡ、携帯電話等の携帯情報端末が知られている。
【０００３】
機能拡張装置を携帯情報端末の装着部に差し込むことによって、携帯情報端末に機能拡張装置を装着し、情報交換用の信号線を介して、有線接続することによって、機能拡張装置で処理された情報を、携帯情報端末へ取り込み、逆に、携帯情報端末で処理された情報を、機能拡張装置へ取り込むことができる。
【０００４】
ＰＤＡとカメラアダプタ、ＰＤＡとヘッドフォン等のように、携帯情報端末と入出力系機能拡張装置との組み合わせの場合、それら機器間を有線接続して用いるよりも、両機器間を無線接続した方が、機器間の位置関係に自由度を持たせることができ、より便利で、様々な用途に用いることができる場合が多い。
【０００５】
この事情を背景に、携帯情報端末と機能拡張装置との間を、ローカルな無線通信システムで接続し、情報交換を行う方式が用いられている。
【０００６】
しかし、携帯情報端末と機能拡張装置との間を、ローカルな無線通信システムで無線接続し、情報交換することができれば、利用シーンの自由度は大きくなるが、同種の無線通信システムを備えた装置や端末であれば、携帯情報端末や機能拡張装置に無線接続することが可能であり、自分の持っている携帯情報端末が、意図しない端末から接続され、情報を取り出されることがあり、その逆に、不必要な情報を入力されたり、または、携帯情報端末と機能拡張装置との間で交換中の情報を盗み見される可能性等が、有線で機器間を接続する場合に比べて、格段に高くなる。
【０００７】
このような問題に対処するために、暗証番号（接続認証コード）を用いる手法がある。この暗証番号（接続認証コード）を用いる手法は、携帯情報端末と機能拡張装置とのそれぞれに同じ暗証番号を入力し、接続処理時に、互いが記憶している暗証番号を確認し、合致した場合にのみ、接続を認証する手法や、暗証番号で鍵をかけ、転送データを暗号化し、受信側で暗証番号を鍵として解読する手法である。
【０００８】
また、端末装置に端末補助装置をネットワーク接続（無線を含む）し、機能拡張する技術が知られている（たとえば、特許文献１参照）。この場合、既存のネットワーク技術で接続し、通信することによって、特定の機器に特化することなく、汎用的な機能拡張装置である。
【特許文献１】特開平１１−２６５３３７号公報
【発明の開示】
【発明が解決しようとする課題】
【０００９】
ところで、従来の暗証番号を用いる手法では、ローカルな無線通信システムで無線接続される携帯情報端末と機能拡張装置とのそれぞれに、ユーザ自身で暗証番号を入力する必要がある。また、この暗証番号は、ユーザが、何らかの数列、文字列、その組み合わせを考え出さなければならないので、暗証を考え出すことは、非常に煩雑な作業であるという問題があり、また、ユーザ自身が考え出した暗証番号は、通常、推測できる暗証番号が多く、セキュリティ面において、不安要素が残るという問題がある。
【００１０】
本発明は、有線接続と無線接続とが可能な情報処理装置と機能拡張装置とにおける接続認証の際の処理を、セキュリティを低下させることなく、簡単にすることを目的とする。
【課題を解決するための手段】
【００１１】
本発明は、情報処理装置と機能拡張装置とを有するシステムにおいて、上記機能拡張装置と上記情報処理装置とを有線接続する有線接続手段と、上記機能拡張装置と上記情報処理装置とを無線接続する無線接続手段と、上記機能拡張装置と上記情報処理装置とが上記有線接続手段により有線接続されたことを検出する検出手段と、上記検出手段による検出に応じて、上記無線接続手段による無線接続する際の認証に用いる認証情報を、上記有線接続手段の有線通信により記憶する記憶手段とを有することを特徴とするシステムである。
【００１２】
また、情報処理装置において、機能拡張装置と有線接続する有線接続手段と、上記機能拡張装置と無線接続する無線接続手段と、上記機能拡張装置と上記有線接続手段とにより有線接続されたことを検出する検出手段と、上記検出手段による検出に応じて、上記無線接続手段による無線接続する際の認証に用いる認証情報を上記有線接続手段の有線通信により上記機能拡張装置に記憶させる記憶手段とを有することを特徴とする情報処理装置およびその制御方法である。
【００１３】
また、機能拡張装置において、情報処理装置と有線接続する有線接続手段と、上記情報処理装置と無線接続する無線接続手段と、上記有線接続手段により上記情報処理装置と有線接続された際に、上記情報処理装置から送られてきた認証情報を記憶する記憶手段と、上記無線接続手段により上記情報処理装置と無線接続する際に、上記記憶手段により記憶した認証情報を用いて上記情報処理装置との認証処理を行う認証手段とを有することを特徴とする機能拡張装置およびその制御方法である。
【発明の効果】
【００１４】
本発明によれば、情報処理装置と機能拡張装置とを有線接続した際に、無線接続用の認証情報を記憶するので、無線接続の際の接続認証処理を、セキュリティを低下させることなく、簡単にすることができる。
【００１５】
また、情報処理装置と機能拡張装置との分離を検出すると、有線接続時に自動的に記憶した認証情報を用いて、無線接続認証を行うので、無線通信を介する際の操作を簡単にすることができる。
【００１６】
また、認証情報を自動生成することにより、ユーザ操作を低減することができる。
【００１７】
また、自動生成した認証コードと、無線通信部の固体識別情報を認証情報とするので、認証コードだけの認証よりもセキュリティを強化することができる。
【発明を実施するための最良の形態】
【００１８】
発明を実施するための最良の形態は、次の実施例である。
【実施例１】
【００１９】
図１は、本発明の実施例１である携帯情報端末１０と機能拡張装置２０とを示す図である。
【００２０】
携帯情報端末１０は、ＰＤＡであり、機能拡張装置２０は、カメラアダプタである。携帯情報端末１０であるＰＤＡに、機能拡張装置２０であるカメラアダプタを装着することによって、カメラ機能付きＰＤＡになる。また、携帯情報端末１０、機能拡張装置２０は、それぞれローカルな無線通信手段としてＢｌｕｅｔｏｏｔｈを備えている。
【００２１】
図２は、携帯情報端末１０と機能拡張装置２０とは、互いに分離されているが、それぞれが備えるローカルな無線通信手段であるＢｌｕｅｔｏｏｔｈを用いて無線接続し、通信を行うこと示す図である。
【００２２】
図２に示すように、互いに無線接続することによって、装着時と同じく、携帯情報端末１０であるＰＤＡに、機能拡張装置２０であるカメラアダプタの機能を付加し、カメラ機能付きＰＤＡになる。
【００２３】
図３は、携帯情報端末１０と機能拡張装置２０との具体的な構成を示すブロック図である。
【００２４】
携帯情報端末１０は、携帯情報端末部１１と、無線通信手段１２と、アンテナ１３と、接続認証コード記憶部１４と、接続認証コード設定部１５と、装着検出部１６と、情報交換用信号線１７とを有する。
【００２５】
携帯情報端末部１１は、従来の携帯情報端末としての処理を行う。無線通信手段１２は、Ｂｌｕｅｔｏｏｔｈ通信によりローカルな無線通信を行う。アンテナ１３は、ローカルな無線通信を行うためのアンテナである。接続認証コード記憶部１４は、ローカルな無線通信において接続認証処理時に必要な接続認証コードを記憶することができる。
【００２６】
接続認証コード設定部１５は、接続認証コードを生成し、携帯情報端末１０の接続認証コード記憶部１４と機能拡張装置２０の接続認証コード記憶部２４とに設定し、接続認証コード記憶部２４へ正しく設定できたことを確認する機能を備えている。
【００２７】
装着検出部１６は、携帯情報端末１０へ機能拡張装置が装着されたことを検出し、検出信号を出力する。情報交換用信号線１７は、装着検出部１６、機能拡張装置２０の情報交換用信号線２５と有線接続する信号線である。
【００２８】
機能拡張装置２０は、機能拡張装置部２１と、無線通信手段２２と、アンテナ２３と、接続認証コード記憶部２４と、情報交換用信号線２５とを有する。
【００２９】
機能拡張装置部２１は、機能拡張のためのカメラとしての処理を行う。無線通信手段２２は、Ｂｌｕｅｔｏｏｔｈ通信によりローカルな無線通信を行う。アンテナ２３は、ローカルな無線通信を行うためのアンテナである。接続認証コード記憶部２４は、ローカルな無線通信において接続認証処理時に必要な接続認証コードを記憶する。情報交換用信号線２５は、機能拡張装置２０の情報交換用信号線１７と有線接続する。
【００３０】
次に、携帯情報端末１０と機能拡張装置２０との動作について説明する。
【００３１】
図４は、携帯情報端末１０と機能拡張装置２０との動作を示すフローチャートである。
【００３２】
携帯情報端末１０は、電源がオンされると、初期設定処理が行われ（Ｓ１０）、機能拡張装置２０も、電源がオンされると、初期設定処理が行われる（Ｓ２０）。この初期設定処理において、携帯情報端末１０、機能拡張装置２０では、アプリケーションの起動や各種パラメータの設定が行われる。
【００３３】
携帯情報端末１０の装着部に機能拡張装置２０を装着すると、情報交換用信号線１７と情報交換用信号線２５とが有線接続される。また、機能拡張装置２０が携帯情報端末１０へ装着されたことを、装着検出部１６が検出すると、接続認証コード設定部１５へ検出信号を出力する（Ｓ１１）。装着検出部１６は、たとえば物理的スイッチまたは電気的スイッチによって構成される装着を検出するセンサである。
【００３４】
接続認証コード設定部１５は、検出信号を受けると、接続認証コードを生成する。生成するコードは、たとえば乱数であったり、タイマ値であったりしてもよい（Ｓ１２）。
【００３５】
接続認証コード設定部１５は、生成した接続認証コードを、接続認証コード記憶部１４へ送信し、記憶させる。また、情報交換用信号線１７と情報交換用信号線２５とを介して、接続認証コード記憶部２４へ、生成した接続認証コードを送信し、記憶させる（Ｓ１３、Ｓ２１）。
【００３６】
機能拡張装置２０の接続認証コード記憶部２４は、受信した接続認証コードを記憶し、その後に、情報交換用信号線２５と情報交換用信号線１７とを介して、接続認証コード記憶部１４へ、上記受信した接続認証コードを送信し、それらを受信した接続認証コード記憶部１４は、それを記憶する（Ｓ２２）。
【００３７】
このときに、接続認証コード設定部１５は、接続認証コード記憶部１４に返信された接続認証コードが、送信した接続認証コードと同じコードであることを確認し、同じコードであることが確認されたときに、接続認証コード設定が完了したと判断する。
【００３８】
接続認証コード設定がうまく完了していないと判断された場合、接続認証コード設定部１５は、接続認証コードを再び生成し、上記処理を繰り返す（Ｓ１４）。
【００３９】
上記ステップを実施することによって、携帯情報端末１０であるＰＤＡに、機能拡張装置２０であるカメラアダプタを装着するだけで、両機器に接続認証コードを設定することができる。
【００４０】
上記接続認証コード設定処理を完了した後において、実際にカメラアダプタを使用する場合について説明する。
【００４１】
機能拡張装置２０を、携帯情報端末１０に装着しておく必要はなく、分離状態でローカルな無線通信を用いて無線接続し、ワイアレスカメラとして利用する。ただし、装着状態のまま、無線接続ではなく有線接続によって操作することもできる。
【００４２】
ここでは、接続コード設定処理が既に完了し、また携帯情報端末１０と機能拡張装置２０とが分離される場合について図６を用いて説明する。
【００４３】
携帯情報端末１０の装着検出部１６が、機能拡張装置２０が分離されたことを検出すると（Ｓ６１０）、携帯情報端末１０は、機能拡張装置２０に、無線接続要求を送信する（Ｓ６１１）。機能拡張装置２０は、無線接続要求を受信すると（Ｓ６２０）、携帯情報端末１０に応答を返し、携帯情報端末１０と機能拡張装置２０の両機器間で接続認証コードを用いた認証処理を行う（Ｓ６１２、Ｓ６２１）。携帯情報端末１０と機能拡張装置２０とには、両機器が装着された際に接続認証コードが既に設定されているので、この設定されている接続認証コードを接続認証コード記憶部１４、２４から自動的に読み出して接続認証処理に用いる。この認証が成功すると、両機器は無線接続する。
【００４４】
なお、分離が検出されない場合は、有線接続した状態で動作する（Ｓ６１３）。
【００４５】
以上のように、携帯情報端末に機能拡張装置が有線接続された際に、有線を介して両機器に認証コードを記憶し、無線接続する場合は、その認証コードを用いて認証を行うので、無線接続時に接続認証コードの入力を、ユーザに求める必要がない。また、接続認証コードをユーザに意識させることなく、しかし、セキュリティを確保した状態で、接続認証処理を行うことができる。さらに、携帯情報端末に機能拡張装置が有線接続された際に、無線接続用の認証コードを自動生成するので、両機器に認証コードを記憶する際にユーザに認証コードの入力を求める必要もない。
【００４６】
また、接続認証コード記憶部１４、２４に記憶されている接続認証コードは、両機器が装着される毎に上書き処理を行うようにしてもよく、また、ユーザの指示により消去できるようにしてもよい。
【実施例２】
【００４７】
図５は、本発明の実施例２において使用するＰＩＮ（Ｐｅｒｓｏｎａｌ  Ｉｄｅｎｔｉｆｉｃａｔｉｏｎ  Ｎｕｍｂｅｒ）コード記憶テーブルであり、携帯情報端末１０、機能拡張装置２０のそれぞれが有するＰＩＮコード記憶テーブルの例を示す図である。
【００４８】
実施例２は、基本的には、実施例１と同じであるので、実施例２における携帯情報端末１０、機能拡張装置２０は、図３に示す実施例１における携帯情報端末１０、機能拡張装置２０と同じである。
【００４９】
ただし、実施例２においては、接続認証コード記憶部１４、２４が、接続認証コードとしてＰＩＮコードを記憶するだけではなく、通信相手の個体識別番号であるＢＤ＿ＡＤＤＲ（Ｂｌｕｅｔｏｏｔｈ  Ｄｅｖｉｃｅ  Ａｄｄｒｅｓｓ）を記憶する点が、実施例１とは異なる。
【００５０】
次に、実施例２の動作について説明する。
【００５１】
実施例２の動作は、基本的には、実施例１と同じであるので、図４に示すフローチャートに沿って、実施例２の動作について説明する。
【００５２】
携帯情報端末１０、機能拡張装置２０は、電源がオンになると、初期設定処理が行われる。このときに、携帯情報端末１０、機能拡張装置２０では、アプリケーションの起動や各種パラメータの設定が行われる。さらに、携帯情報端末１０では、無線通信手段１２に与えられている個体識別番号（ＢＤ＿ＡＤＤＲ）を、接続認証コード記憶部１４に、自機ＩＤとして設定する（Ｓ１０）。また、機能拡張装置２０では、無線通信手段２２に与えられている個体識別番号（ＢＤ＿ＡＤＤＲ）を、接続認証コード記憶部２４に自機ＩＤとして設定する（Ｓ２０）。
【００５３】
携帯情報端末１０の装着部へ、機能拡張装置２０を装着すると、情報交換用信号線１７と情報交換用信号線２５とが、有線接続される。また、機能拡張装置２０が携帯情報端末１０へ装着されたことを、装着検出部１６が検出すると、接続認証コード設定部１５へ検出信号を出力する（Ｓ１１）。装着検出部１６は、たとえば物理的スイッチまたは電気的スイッチによって構成されている装置を検出するセンサである。
【００５４】
接続認証コード設定部１５は、検出信号を受けると、接続認証コードとしてのＰＩＮコードを生成する。生成するコードは、たとえば乱数であり、また、タイマ値であってもよい（Ｓ１２）。接続認証コード設定部１５は、生成した接続認証コードを接続認証コード記憶部１４へ送信し、記憶させる。また、情報交換用信号線１７、情報交換用信号線２５を介して、生成した接続認証コードと、無線通信手段１２に与えられている個体識別番号とを、接続認証コード記憶部２４へ送信し、記憶させる（Ｓ１３、Ｓ２１）。
【００５５】
機能拡張装置２０の接続認証コード記憶部２４は、受信した接続認証コードと個体識別番号とを図５のように関連付けて記憶し、その後に、情報交換用信号線２５、情報交換用信号線１７を介して、上記受信した接続認証コードと、無線通信手段２２に与えられている個体識別番号とを、接続認証コード記憶部１４へ送信する。機能拡張装置２０からの接続認証コードと固体識別番号を受信した接続認証コード記憶部１４は、それぞれを図５のように関連付けて記憶する（Ｓ２２）。
【００５６】
このときに、接続認証コード設定部１５は、接続認証コード記憶部１４に返信された接続認証コードが、送信した接続認証コードと同じコードであることを確認し、同じコードであることが認識されると、接続認証コード設定が完了したと判断する。
【００５７】
接続認証コード設定がうまく完了していないと判断された場合、接続認証コード設定部１５は、接続認証コードを再び生成し、上記処理を繰り返す（Ｓ１４）。
【００５８】
上記ステップを実施することによって、携帯情報端末１０であるＰＤＡに、機能拡張装置２０であるカメラアダプタを装着するだけで、両機器に接続認証コードと、相手機器の個別識別番号を設定することができる。
【００５９】
上記接続認証コード設定処理を完了した後において、実際にカメラアダプタを使用する場合について説明する。
【００６０】
機能拡張装置２０は、携帯情報端末１０に装着しておく必要はなく、分離状態で無線接続し、ワイアレスカメラとして利用する。ただし、装着状態のまま、無線接続ではなく有線接続によって操作することもできる。
【００６１】
既に接続コード設定処理が完了し、また携帯情報端末１０と機能拡張装置２０を分離した場合は、実施例１で説明した図６のように動作する。
【００６２】
ただし、携帯情報端末１０と機能拡張装置２０間の認証処理（Ｓ６１２、Ｓ６２１）は、ＰＩＮコードによる認証処理だけでなく、互いの無線通信手段１２、２２に与えられている固体識別番号を交換し、図４のＳ１３、Ｓ２１で記憶したＰＩＮコードに対応する相手機器の固体識別番号と一致した場合に認証が成功したと判定するようにする。
【００６３】
以上のように、本実施例によれば、接続認証コードだけでなく、接続認証コードに対応する固体識別番号も用いて認証処理を行うので、セキュリティをさらに強化することができる。
【００６４】
また、図５のように、ＰＩＮコードと固体識別番号を複数記憶できるようにするより、複数の相手との認証情報を記憶できるので、携帯情報端末は様々な機能拡張装置を利用することができ、また、機能拡張装置も様々な携帯情報端末に利用されることができる。
【００６５】
また、接続認証コード記憶部内のＰＩＮコード記憶テーブルに記憶されているＢＤ＿ＡＤＤＲと接続認証コードとが、記憶可能な数を超えたときに、上書き処理を行うようにしてもよく、選択的に消去することができるようにしてもよく、全部を一度に消去できるようにしてもよい。
【図面の簡単な説明】
【００６６】
【図１】本発明の実施例１である携帯情報端末１０と機能拡張装置２０とを示す図である。
【図２】携帯情報端末１０と機能拡張装置２０とは、互いに分離されているが、それぞれが備えるローカルな無線通信手段であるＢｌｕｅｔｏｏｔｈを用いて無線接続し、通信を行うこと示す図である。
【図３】携帯情報端末１０と機能拡張装置２０との具体的な構成を示すブロック図である。
【図４】携帯情報端末１０と機能拡張装置２０との動作を示すフローチャートである。
【図５】本発明の実施例２において使用するＰＩＮコード記憶テーブルであり、携帯情報端末１０、機能拡張装置２０のそれぞれが有するＰＩＮコード記憶テーブルの例を示す図である。
【図６】携帯情報端末１０と機能拡張装置２０との動作を示すフローチャートである。
【符号の説明】
【００６７】
１０…携帯情報端末、
１１…携帯情報端末部、
１２…無線通信手段、
１３…アンテナ、
１４…接続認識コード記憶部、
１５…接続認識コード設定部、
１６…装着検出部、
２０…機能拡張装置、
２１…機能拡張装置部、
２２…無線通信手段、
２３…アンテナ、
２４…接続認識コード記憶部。
【図１】
2005142894.tif 000003
【図２】
2005142894.tif 000004
【図３】
2005142894.tif 000005
【図４】
2005142894.tif 000006
【図５】
2005142894.tif 000007
【図６】
2005142894.tif 000008